(57)【要約】【課題】大物部品の離脱、解体作業が容易な洗濯機を提供する。【解決手段】洗濯兼脱水槽３の底部に回転自在に配設したパルセータ２と、洗濯兼脱水槽３を内包する外槽１と、外槽１の底部に固着した基板６と、基板６に固着される駆動機構部４とを備え、駆動機構部４は、先端にパルセータ２が締結される洗濯軸１４と、洗濯兼脱水槽３に締結される脱水軸１２を有し、少なくともパルセータ２の表面と洗濯兼脱水槽３の底部表面のいずれか一方に環状溝部（２２又は２４）を形設するもので、例えば、洗濯兼脱水槽３の底部表面に環状溝部２４を設けた場合、パルセータ２を洗濯軸１４から外した後、洗濯兼脱水槽３を固定するナット１１を外すことなく、ホールカッター等の解体工具の刃先を環状溝部２４に合わせて切断作業をするだけで、容易に洗濯兼脱水槽３を離脱することができ、解体時間が短縮できる。【選択図】図２
2006181011.tif 000002
【特許請求の範囲】
【請求項１】
洗濯兼脱水槽と、前記洗濯兼脱水槽の底部に回転自在に配設したパルセータと、前記洗濯兼脱水槽を内包する外槽と、前記外槽の底部に固着した基板と、前記基板に固着される駆動機構部とを備え、前記駆動機構部は、先端に前記パルセータが締結される洗濯軸と、前記洗濯兼脱水槽に締結される脱水軸を有し、少なくとも前記パルセータの表面と前記洗濯兼脱水槽の底部表面のいずれか一方に環状の溝部を形設した洗濯機。
【請求項２】
パルセータの表面と洗濯兼脱水槽の底部表面の両方に同心円の溝部を形設した請求項１に記載の洗濯機。
【発明の詳細な説明】
【技術分野】
【０００１】
本発明は、洗濯機に関するもので、特に、使用済み洗濯機の解体作業を容易にする構成に関するものである。
【背景技術】
【０００２】
従来の代表的な洗濯機は、パルセータを回転させて洗濯するものであり、この種の洗濯機の構成を、図３を参照しながら説明する。
【０００３】
図３は、従来の洗濯機の要部断面図を示すもので、外槽１は、底部にパルセータ２を回転自在に配設した洗濯兼脱水槽３を内包し、外槽１、パルセータ２、洗濯兼脱水槽３の各々は、ポリプロピレン樹脂で成形されている。４は、ブレーキ（図示せず）及びクラッチ（図示せず）を有する駆動機構部であり、主に亜鉛鋼板及びステンレス鋼材等の部材で構成され、外槽１の下部にねじ５で固着された亜鉛鋼板製の基板６に、ねじ７で固着されると共に、洗濯兼脱水槽３の底部にねじ８で固着したフランジ９とワッシャー１０を介してダイカスト製のナット１１で締結した脱水軸１２と、パルセータ２をねじ１３で締結した洗濯軸１４を設けている。
【０００４】
ここで、パルセータ２は、裏面側にダイカスト製のブッシング１５を圧入して洗濯軸１４とセレーション嵌合する構成をとっている。モータ１６は、基板６にねじ１７で固着され、モータ１６の回転は、Ｖベルト１８を介して、ブレーキ（図示せず）及びクラッチ（図示せず）を選択的に切換えつつ、洗濯時は洗濯軸１４を介してパルセータ２を駆動させ、脱水時は脱水軸１２を介して洗濯兼脱水槽３を駆動させるようになっている（例えば、特許文献１参照）。
【０００５】
上記構成からなる洗濯機における、特に、リサイクル有価性の高い材料を使用している大物部品の解体作業手順を説明する。まず、ねじ１３を外してパルセータ２を離脱する。次に、ナット１１を外して洗濯兼脱水槽３を離脱し、続いてねじ７、１７を外してそれぞれ駆動機構部４、モータ１６を離脱し、ねじ５を外して基板６と外槽１を分離、離脱する。洗濯兼脱水槽３は、底部のねじ８を外しフランジ９を分離する。この一連の作業により、リサイクルの有価性の高いポリプロピレン樹脂製の外槽１、パルセータ２、洗濯兼脱水槽３の離脱が完了する。
【特許文献１】実開平０４−９３０７６号公報
【発明の開示】
【発明が解決しようとする課題】
【０００６】
しかしながら、上記従来の洗濯機で、耐用年数が過ぎたもの、使用済みの洗濯機において、使用条件によっては、ブッシング１５の腐食が進行し、洗濯軸１４に固着されたパルセータ２の離脱が困難になったり、ナット１１の腐食が進行して、ナット１１を緩める際にナット１１の外形が欠損して、解体工具と合わなくなり脱水軸１２に固着したままで離脱困難になるといった課題を有していた。
【０００７】
本発明は上記従来の課題を解決するもので、リサイクルの有価性の高い材料を使用している大物部品を安定して解体、取り出すことができる洗濯機を提供することを目的としている。
【課題を解決するための手段】
【０００８】
前記従来の課題を解決するために、本発明の洗濯機は、洗濯兼脱水槽と、前記洗濯兼脱水槽の底部に回転自在に配設したパルセータと、前記洗濯兼脱水槽を内包する外槽と、前記外槽の底部に固着した基板と、前記基板に固着される駆動機構部とを備え、前記駆動機構部は、先端に前記パルセータが締結される洗濯軸と、前記洗濯兼脱水槽に締結される脱水軸を有し、少なくとも前記パルセータの表面と前記洗濯兼脱水槽の底部表面のいずれか一方に環状の溝部を形設したもので、例えば、洗濯兼脱水槽の底部表面に溝部を設けた場合、パルセータを洗濯軸から外した後、洗濯兼脱水槽を脱水軸に締結する締結手段の腐食状態にかかわらずそれを外すことなく、ホールカッター等の解体工具の刃先を溝部に合わせて切断作業をするだけで、洗濯兼脱水槽を容易に離脱することができ、解体時間が短縮できる。
【発明の効果】
【０００９】
本発明の洗濯機は、使用時の条件にかかわらず耐用年数が過ぎたもの、使用済みの機体のリサイクルの有価性の高いポリプロピレン樹脂製の外槽、洗濯兼脱水槽、パルセータ等の大物部品の離脱を容易にして、解体作業工数を大幅に削減することができる。
【発明を実施するための最良の形態】
【００１０】
第１の発明は、洗濯兼脱水槽と、前記洗濯兼脱水槽の底部に回転自在に配設したパルセータと、前記洗濯兼脱水槽を内包する外槽と、前記外槽の底部に固着した基板と、前記基板に固着される駆動機構部とを備え、前記駆動機構部は、先端に前記パルセータが締結される洗濯軸と、前記洗濯兼脱水槽に締結される脱水軸を有し、少なくとも前記パルセータの表面と前記洗濯兼脱水槽の底部表面のいずれか一方に環状の溝部を形設したもので、例えば、洗濯兼脱水槽の底部表面に溝部を設けた場合、パルセータを洗濯軸から外した後、洗濯兼脱水槽を脱水軸に締結する締結手段の腐食状態にかかわらずそれを外すことなく、ホールカッター等の解体工具の刃先を溝部に合わせて切断作業をするだけで、洗濯兼脱水槽を容易に離脱することができ、解体時間が短縮できる。
【００１１】
第２の発明は、特に、第１の発明のパルセータの表面と洗濯兼脱水槽の底部表面の両方に同心円の溝部を形設したもので、ホールカッターにより、パルセータの表面と洗濯兼脱水槽の底部表面に同心円に設けた溝部を上方より順に、同時に穴あけ切断できるので、パルセータ、洗濯兼脱水槽の解体時間が更に短縮される。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における洗濯機の側断面図、図２は、同洗濯機の要部断面図である。なお、従来例と同一部分については、同一符号を付してその説明を省略する。
【００１４】
図１、図２において、外槽１は、底部にパルセータ２を回転自在に配設した洗濯兼脱水槽３を内包するとともに、上端に上部カバー１９をねじ（図示せず）で固着させて、吊り棒２０により洗濯機外枠２１内に吊り下げられている。又、外槽１、パルセータ２、洗濯兼脱水槽３、上部カバー１９の各々は、ポリプロピレン樹脂で成形されている。
【００１５】
ここで、パルセータ２には、ダイカスト製のブッシング１５が圧入され、洗濯軸１４とセレーション嵌合する構成をとっている。
【００１６】
４は、ブレーキ及びクラッチを有する駆動機構部であり、主に亜鉛鋼板及びステンレス鋼等で構成され、外槽１下部にねじ５で固着された亜鉛鋼板製の基板６に、ねじ７で固着されると共に、洗濯兼脱水槽３の底部にねじ８で固着されたフランジ９とワッシャー１０を介してダイカスト製のナット１１で締結した脱水軸１２と、パルセータ２をねじ１３で締結した洗濯軸１４を設けている。ここで、パルセータ２は、裏面側にダイカスト製のブッシング１５を圧入して洗濯軸１４とセレーション嵌合するとともに、その表面のブッシング１５の外周近傍位置に環状の溝部である環状溝部２２を設け、この環状溝部２２には、複数の水抜き穴２３を形設した構成をとっている。
【００１７】
また、フランジ９の表面にも、パルセータ２の表面同様に、同心円の環状溝部２４を設けている。モータ１６は、基板６にねじ１７で固着され、モータ１６の回転は、Ｖベルト１８を介して、後述の排水弁２５と連動するブレーキ（図示せず）及びクラッチ（図示せず）を選択的に切換えつつ、洗濯時は、洗濯軸１４を介してパルセータ２を正逆回転駆動させ、脱水時は、脱水軸１２を介して洗濯兼脱水槽３を正方向回転駆動させる。
【００１８】
排水弁２５は、それを開放する事により洗濯兼脱水槽３内の洗濯水を排水し、給水弁２６は、洗濯兼脱水槽３内に水を給水するためのものである。また、外枠２１の上部には、上部枠体２７がねじ（図示せず）が固着されてる。２８は、制御装置で、モータ１６、排水弁２５、給水弁２６などを制御して、洗濯、すすぎ、脱水の各行程を逐次制御するものである。
【００１９】
上記構成における洗濯機の解体作業手順を説明する。
【００２０】
まず、外枠２１に上部枠体２７を固定しているねじ（図示せず）を外し、配線をニッパーカットで切断して上部枠体２７を離脱する。次に、ねじ（図示せず）を外し、上部カバー１９を離脱させ、ねじ１３を装着したままで、パルセータ２の外周と洗濯兼脱水槽３とを粘着テープ等で固定する。次に、パルセータ２の上方よりホールカッター２９の刃先を環状溝部２２に挿入し、洗濯兼脱水槽３の脱水時の回転方向と逆方向にホールカッター２９を回転させ、上方より環状溝部２２、環状溝部２４の順に穴あけ切断し、パルセータ２ごと洗濯兼脱水槽３を離脱する。
【００２１】
続いて、吊り棒２０を外して外槽１を外枠２１から離脱させるとともに、下部のねじ１７、ねじ７、ねじ５を外してモータ１６、駆動機構部４、基板６及び排水弁２５等のその他の部品を外し離脱する。さらに、切断して取り出した洗濯兼脱水槽３から底部のねじ８を外しフランジ９を分離し、これら一連の作業により、リサイクルの有価性の高いポリプロピレン樹脂製の外槽１、パルセータ２、洗濯兼脱水槽３、加えて上部カバー１９の離脱が完了する。
【００２２】
このように、使用時の様々な条件によるパルセータ２および洗濯兼脱水槽３の２ヶ所の締結部の腐食、固着状態にかかわらず、同一の切断作業で一度にパルセータ２および洗濯兼脱水槽３を離脱することができ、解体作業時間を短縮することができ、また、リサイクル可能な有価材料の大物部品を安定して取出すことができる。
【産業上の利用可能性】
【００２３】
以上のように、本発明にかかる洗濯機は、使用済みの洗濯機のパルセータ、洗濯兼脱水槽、外槽等の解体作業を短縮することができるとともに、リサイクルの有価性の高い材料の大物部品を安定して取り出すことができ、環境に配慮したものであり、家庭用、業務用洗濯機に広く適用できる。
【図面の簡単な説明】
【００２４】
【図１】本発明の実施の形態１における洗濯機の側断面図
【図２】同洗濯機の要部断面図
【図３】従来の洗濯機の要部断面図
【符号の説明】
【００２５】
１  外槽
２  パルセータ
３  洗濯兼脱水槽
４  駆動機構部
６  基板
１２  脱水軸
１４  洗濯軸
２２、２４  環状溝部（溝部）
【図１】
2006181011.tif 000003
【図２】
2006181011.tif 000004
【図３】
2006181011.tif 000005